(57)【特許請求の範囲】
【請求項１】
靴の足挿入口から挿入され、且つ、前記靴の甲部から爪先部にかけての足挿入空間部内に装着されることで前記靴の形状を保持せしめる靴用保型具であって、
輪郭形状が、前記足挿入空間部の内面に沿って湾曲させられた湾曲薄板状の非木材成形パルプを用いて一体形成されており、
底部の内側が開口され、
前記甲部の後方部に裾野を備えて山形状突出部が設けられ、該山形状突出部のうちで前記足挿入口に接近した前記裾野側は、途中から前記足挿入口から遠ざかった中足部側に向かって傾斜した傾斜辺が前記底部まで切り欠かれて開口されて形成されていることを特徴とする靴用保型具。
【請求項２】
前記非木材成形パルプは、葦パルプを基材として、防水剤及び抗菌素材のうち少なくとも一方を混入させたことを特徴とする請求項１記載の靴用保型具。
【発明の詳細な説明】
【０００１】
【発明の属する技術分野】
この発明は、非木材パルプを用いた靴用保型具に関する。
【０００２】
【従来の技術】
従来、靴の甲部から爪先部にかけての足挿入空間部に保持本体を挿入して靴の形状を保持せしめる靴用保型具としては、保持本体が内部に空気を密封した形状で製造されたビニールからなる風船状の中空型からなるものや、保持本体が発泡スチロール、木材あるいは古紙等からなる中実立方体形状とした中実型からなるもの、あるいは発泡スチロール、木材あるいは古紙等を射出成型手段又はパルプ成型手段によって成形された湾曲型からなるものが知られている。この湾曲型からなるものは、図８に示されているように、靴１０１の甲部１０３から爪先部１０５にかけての足挿入空間部内部１０７に靴用保型具１０９を構成する保持本体１１１が挿入されて使用されるものである。この保持本体１１１は、図８〜図１１に示されているように、靴１０１の甲部１０３から爪先部１０５にかけての足挿入空間部１０７の内面に沿った湾曲表面を有した輪郭形状で形成されている。そして、ボール部１１３、トウ・踏付けフェザーライン部１１５、ウエスト部１１７および後部１１９等からなっている。
【０００３】
【発明が解決しようとする課題】
ところで、従来の中空型からなるものは、製作が簡単で、使用材料が少なく軽量である利点があるが、薄いビニールからなる樹脂製シート状の中空体であって、しかも、内部に空気が密封されているので、押圧力の作用によって、比較的簡単に変形してしまったり、保管等において嵩高くなってしまい、要求される靴の保形機能を充分に確保できないと共に、製作時保管、輸送、靴メーカーサイドでの保管等に問題がある。
【０００４】
また、中実型からなるものは、中空型からなるもののように変形することはないから、要求される靴の保形機能を充分に確保することができるが、中空型からなるものと同様に重ねることができないため、保管等において嵩高くなってしまい、製作時保管、輸送、靴メーカーサイドでの保管等に問題がある。
【０００５】
さらに、湾曲型からなるものは、中空型からなるものや中実型からなるものでは重ねることができなかったが、重ねることができ保管等において嵩高くならず、製作時保管、輸送、靴メーカーサイドでの保管等に優れている。しかし、木材あるいは古紙の原料となる木は、伐採までの期間が長く、パルプ以外の用途も広いため、高価で、かつパルプに使用される量も限定される。しかも、木材パルプは主に廃液を回収・再利用する優れた方法で製造されているが、その反面、回収装置等の設備にコストがかかり、大規模工場でないと採算がとれず、その結果、木材の集荷面積は拡大し続けているという問題があった。
【０００６】
また、湾曲型からなるものは、靴１０１の内部の形状にあまりフィットしていなかった。しかも、図９および図１０に示されているように、後部１１９の角部１２１が弾力性を備える形状になっていなかった。もし、なっていたとしても、保型するための充分な強度が得られなかった。
【０００７】
この発明は上述の課題を解決するためになされたもので、その目的は、靴にフィットし易く保形性に優れていて、充分な強度を備え、しかも、吸湿性があって、靴内の湿気を取り除き、靴内のカビの繁殖を抑え、衛生的であると共に、木材を使用していないから植林が不要で、環境保護につながり、さらに、素材が生分解性素材であるから、焼却しても有害物質がでず、土に戻すことも可能で、廃棄処理を容易にした靴用保型具を提供することにある。
【０００８】
【課題を解決するための手段】
上記目的を達成するために請求項１によるこの発明の靴用保型具は、靴の足挿入口から挿入され、且つ、前記靴の甲部から爪先部にかけての足挿入空間部内に装着されることで前記靴の形状を保持せしめる靴用保型具であって、
輪郭形状が、前記足挿入空間部の内面に沿って湾曲させられた湾曲薄板状の非木材成形パルプを用いて一体形成されており、
底部の内側が開口され、
前記甲部の後方部に裾野を備えて山形状突出部が設けられ、該山形状突出部のうちで前記足挿入口に接近した前記裾野側は、途中から前記足挿入口から遠ざかった中足部側に向かって傾斜した傾斜辺が前記底部まで切り欠かれて開口されて形成されていることを特徴とするものである。
【０００９】
したがって、靴用保型具は、輪郭形状が、靴の甲部から爪先部にかけての足挿入空間部の内面に沿って湾曲させられた湾曲薄板状の非木材成形パルプを用いて一体形成されているから、従来よりも靴にフィットし易く保形性に優れていて、充分な強度を備え、しかも、吸湿性があって、靴内の湿気が取り除かれると共に、靴内のカビの繁殖が抑えられ、衛生的である。しかも、木材を使用していないから植林が不要で、環境保護につながり、さらに、素材が生分解性素材であるから、焼却しても有害物質がでず、土に戻すことも可能で、廃棄処理を容易に行うことができる。
また、靴用保型具は、底部の内側が開口されているので、複数の靴用保型具を積み重ねて保管できる。
また、靴用保型具は、甲部の後方部に裾野を備えて山形状突出部が設けられ、山形状突出部のうちで足挿入口に接近した裾野側は、途中から足挿入口から遠ざかった中足部側に向かって傾斜した傾斜辺が底部まで切り欠かれて開口されて形成されているために、これにより、傾斜辺の開口部位から差し入れた指が山形状突出部の内側内部に挿入可能であるので、靴用保型具を靴の内部に出し入れする作業性を高めることができると共に、山形状突出部により靴用保型具の後方部の剛性を高めることができる。
【００１０】
請求項２によるこの発明の靴用保型具は、請求項１記載の靴用保型具において、前記非木材成形パルプは、葦パルプを基材として、防水剤及び抗菌素材のうち少なくとも一方を混入させたことを特徴とするものである。
【００１１】
したがって、非木材成形パルプとなる葦パルプ中に、防水剤及び抗菌素材のうち少なくとも一方が混入されているために、防水機能や抗菌機能を発揮せしめることができる。
【００１２】
【発明の実施の形態】
以下、この発明の実施の形態について図面を参照して詳細に説明する。
【００１３】
図１を参照するに、ステップＳ１で非木材としての例えば天然の葦を伐採して、切断機等で例えばぼ１０ｃｍ程度にカットせしめる。つぎに、ステップＳ２でカットした葦を釜に入れると共に、釜にスチームを入れて高温、高圧下で煮る。その結果、葦の繊維がかなり柔らかくなる。この煮た葦を、そのまま４〜５時間程度放置しておくと、ほぼパルプ１級程度の葦パルプとなる。ステップＳ３でこの葦パルプを洗浄した後、ステップＳ４で汚れや不純物を取り除いて非木材パルプとする。
【００１４】
そして、ステップＳ５で、この非木材パルプに添加物を加える。本実施の形態ではこの添加物として、防水剤として例えばロジンと、防油イオンとを適宜加える。この添加物を加えるときに、一緒に抗菌素材としての例えば竹等を適宜加える。ステップＳ６で、この添加物を加えて溶解した葦パルプ（非木材パルプ）を槽に投入し、金型を沈め、葦パルプを金型に吸着せしめる。この金型には靴の甲部から爪先部にかけての足挿入空間部の内面に沿った湾曲表面を有した輪郭形状に合わせたキャビティが形成されている。そして、ステップＳ７で、葦パルプを吸着した金型に逆金型を圧着し、プレス脱水を行う。成形された葦パルプを上下の金型を例えば１８０℃の温度にして真空下で加圧・加熱し、靴用保型具となる葦成形パルプに成形する。このとき、葦パルプの繊維は再編成され、粒子が密着
化すると共に、高温や低温に対する耐性が向上する。この葦成形パルプは、靴型をベースにして靴の甲部から爪先部にかけての足挿入空間部の内面に沿った湾曲表面を有した輪郭形状の保持本体を形成せしめることができる。
【００１５】
その後、ステップＳ８で、毛羽立やバリ等を取り除いて靴用保型具としての製品に仕上げることができる。
【００１６】
上記の製造方法で得られた靴用保型具１を構成する保持本体３は、図２に示されているように、靴５の甲部７から爪先部９にかけての足挿入空間部内部１１に挿入されて使用されるものである。この保持本体３は、図３〜図７に示されているように、靴５の甲部７から爪先部９にかけての足挿入空間部１１の内面１１Ａに沿った湾曲表面を有した輪郭形状で形成されている。そして、ボール部１３、トウ・踏付けフェザーライン部１５、ウエスト部１７および後部１９等からなっている。
【００１７】
その結果、製造された靴用保型具１は、素材が葦からなり、ボール部１３、トウ・踏付けフェザーライン部１５、ウエスト部１７を備えており、この部分が靴５にフィットし易く、従来よりも保形性に優れていると共に充分な強度を備えている。しかも、吸湿性があって、靴５内の湿気を取り除くことができると共に、靴５内のカビの繁殖を抑えることができ、衛生的である。また、木材を使用していないから植林が不要で、環境保護につながるものである。さらに、素材が葦で、生分解性素材であるから、焼却しても有害物質がでず、土に戻すことも可能で、廃棄処理を容易に行うことができる。しかも、非木材中に抗菌素材が混入されているから、抗菌機能を発揮せしめることができる。
【００１８】
この靴用保型具１の製造は、上述したごとく、従来に比べて作業効率が良く、しかも、作業場所は、従来に比べて小さくて済み、スペースの有効利用を図ることができる。さらに、この製造された靴用保型具１は、積み重ねる（スタッキング）ことができる形状となるため、保管場所を小さくすることができる。
【００１９】
また、前記保持本体３における後部１９には湾曲形状部２１、２３が形成されていて弾力性を有しているので、従来のものよりも兼用性を高めることができる。すなわち、靴５は例えば長さ５ｍｍピッチで分かれており、しかも、足囲においても複数段階の大きさに分かれているが、この個々の大きさのものにあった靴用保型具１を製造することなく、グループ分けした例えばＳ（２３．５〜２４．５ｃｍ）、Ｍ（２５〜２６ｃｍ）、Ｌ（２６．５〜２７．５ｃｍ）靴用保型具１を製造すれば、各サイズ内の複数段階の大きさに兼用せしめることができる。
【００２０】
前記保持本体３における後部１９に指を入れるスペース２５を設けられているので、保持本体３を靴５の内部に出し入れする作業性を高めることができる。
【００２１】
なお、この発明は前述した実施の形態に限定されることなく、適宜な変更を行うことによりその他の態様で実施し得るものである。なお、非木材として葦を例にして説明したが、葦以外に農産廃棄物としての例えばサトウキビ、精糖工場で糖汁を搾った残りガス（バガス）、麦ワラ、稲ワラ、パーム椰子、バナナ、または、自生している例えば竹、エスパルト、さらに、繊維作物としての例えばケナフ、アバカ、サイザル、ジュート、亜麻、こうぞ、雁皮、みつまたなども適用可能である。
【００２２】
【発明の効果】
以上のごとき発明の実施の形態の説明から理解されるように、請求項１記載の靴用保型具によれば、輪郭形状が、靴の甲部から爪先部にかけての足挿入空間部の内面に沿って湾曲させられた湾曲薄板状の非木材成形パルプを用いて一体形成されているから、従来よりも靴にフィットし易く保形性に優れていて、充分な強度を備えることができる。しかも、吸湿性があって、靴内の湿気を取り除くことができると共に、靴内のカビの繁殖を抑えることができ、衛生的である。しかも、木材を使用していないから植林が不要で、環境保護につながり、さらに、素材が生分解性素材であるから、焼却しても有害物質がでず、土に戻すことも可能で、廃棄処理を容易に行うことができる。
また、靴用保型具は、底部の内側が開口されているので、複数の靴用保型具を積み重ねて保管できる。
また、靴用保型具は、甲部の後方部に裾野を備えて山形状突出部が設けられ、山形状突出部のうちで足挿入口に接近した裾野側は、途中から足挿入口から遠ざかった中足部側に向かって傾斜した傾斜辺が底部まで切り欠かれて開口されて形成されているのために、これにより、傾斜辺の開口部位から差し入れた指が山形状突出部の内側内部に挿入可能であるので、靴用保型具を靴の内部に出し入れする作業性を高めることができると共に、山形状突出部により靴用保型具の後方部の剛性を高めることができる。
【００２３】
請求項２記載の靴用保型具によれば、請求項1記載の効果が得られる他に、非木材成形パルプとなる葦パルプ中に、防水剤及び抗菌素材のうち少なくとも一方が混入されているために、防水機能や抗菌機能を発揮せしめることができる。
【図面の簡単な説明】
【図１】この発明の靴用保型具を製造する製造方法を説明するフローチャート図である。
【図２】靴用保型具を靴の内部に挿入して使用される状態を示した斜視図である。
【図３】靴用保型具の平面図である。
【図４】図３における正面図である。
【図５】図３におけるＶーＶ線に沿った断面図である。
【図６】図３における右側面図である。
【図７】図３におけるＶＩーＶＩ線に沿った断面図である。
【図８】従来の靴用保型具を靴の内部に挿入して使用される状態を示した斜視図である。
【図９】従来の靴用保型具の平面図である。
【図１０】図９における正面図である。
【図１１】図９における右側面図である。
【符号の説明】
１  靴用保型具
３  保持本体
５  靴
７  甲部
９  爪先部
１１  足挿入空間部
１３  ボール部
１５  トウ・踏付けフェザーライン部
１７  ウエスト部
１９  後部
２１  湾曲部
２３  湾曲部
２５  スペース
【図１】
0004649038.tif 000002
【図２】
0004649038.tif 000003
【図３】
0004649038.tif 000004
【図４】
0004649038.tif 000005
【図５】
0004649038.tif 000006
【図６】
0004649038.tif 000007
【図７】
0004649038.tif 000008
【図８】
0004649038.tif 000009
【図９】
0004649038.tif 000010
【図１０】
0004649038.tif 000011
【図１１】
0004649038.tif 000012